(57)【要約】異なった種類の光ディスクを記録又は再生可能な光ディスク装置において、アクチュエータ駆動手段により対物レンズを光ディスクに近づけていき、光ディスクの信号面にレーザ光の焦点が合う位置の前後でフォーカスエラー信号を発生させ、光ディスク判別手段では、対物レンズの外周部を通過するレーザ光と対物レンズの内周部を通過するレーザ光との焦点ずれによって生じるフォーカスエラー信号の波形の相違から光ディスクの厚みを判別し、光ディスクの厚みから光ディスクの種類を判別する光ディスク装置。
2003063149.tif 000002
【特許請求の範囲】
【請求項１】
異なった種類の光ディスクを記録又は再生可能な光ディスク装置において、光ディスクにレーザ光を照射するピックアップと、前記レーザ光の照射を制御するレーザ制御手段と、前記ピックアップを構成する対物レンズをフォーカス方向に移動するアクチュエータ駆動手段と、前記光ディスクからの反射光によってフォーカス状態を検出するフォーカス検出用受光手段と、前記フォーカス検出用受光手段より生成されるフォーカスエラー信号の振幅を測定するＦＥ信号測定手段と、前記ＦＥ信号測定手段で測定した振幅から前記光ディスクを判別する光ディスク判別手段とを備え、前記アクチュエータ駆動手段により前記対物レンズを前記光ディスクに近づけていき、前記光ディスクの信号面にレーザ光の焦点が合う位置の前後でフォーカスエラー信号を発生させ、前記光ディスク判別手段では、前記対物レンズの外周部を通過するレーザ光と前記対物レンズの内周部を通過するレーザ光との焦点ずれによって生じるフォーカスエラー信号の波形の相違から前記光ディスクの厚みを判別し、前記光ディスクの厚みから前記光ディスクの種類を判別することを特徴とする光ディスク装置。
【請求項２】
前記フォーカスエラー信号の振幅の最大値をＦＥｍａｘ、最小値をＦＥｍｉｎとした時に、ＦＥｍａｘの絶対値とＦＥｍｉｎの絶対値との値を比較することにより前記光ディスクの厚みの判別を行うことを特徴とするクレーム１記載の光ディスク装置。
【請求項３】
前記フォーカスエラー信号の振幅の最大値をＦＥｍａｘ、最小値をＦＥｍｉｎとした時に、（ＦＥｍａｘ＋ＦＥｍｉｎ）／（ＦＥｍａｘ−ＦＥｍｉｎ）の値によって前記光ディスクの厚みの判別を行うことを特徴とするクレーム１記載の光ディスク装置。
【請求項４】
前記フォーカスエラー信号の振幅の最大値をＦＥｍａｘ、最小値をＦＥｍｉｎとした時に、ＦＥｍａｘの絶対値とＦＥｍｉｎの絶対値との差を求め、このＦＥｍａｘの絶対値とＦＥｍｉｎの絶対値との差を、予め定めた判別値と比較することで、前記光ディスクの厚みの判別を行うことを特徴とするクレーム１記載の光ディスク装置。
【請求項５】
異なった種類の光ディスクを記録又は再生可能な光ディスク装置において、光ディスクにレーザ光を照射するピックアップと、前記レーザ光の照射を制御するレーザ制御手段と、前記ピックアップを構成する対物レンズをフォーカス方向に移動するアクチュエータ駆動手段と、前記光ディスクからの反射光によってフォーカス状態を検出するフォーカス検出用受光手段と、前記フォーカス検出用受光手段より生成されるフォーカスエラー信号の振幅を測定するＦＥ信号測定手段と、前記ＦＥ信号測定手段で測定した振幅から前記光ディスクを判別する光ディスク判別手段とを備え、前記アクチュエータ駆動手段により前記対物レンズを前記光ディスクに近づけていき、前記光ディスクの信号面にレーザ光の焦点が合う位置の前後でフォーカスエラー信号を発生させ、前記光ディスク判別手段では、前記対物レンズの外周部を通過するレーザ光と前記対物レンズの内周部を通過するレーザ光との焦点ずれによって生じるフォーカスエラー信号の振幅の正側波形と負側波形との対称性から前記光ディスクの厚みを判別し、前記光ディスクの厚みから前記光ディスクの種類を判別することを特徴とする光ディスク装置。
【請求項６】
光ディスクの種類を判別する光ディスク判別方法において、光ディスクにレーザ光を照射しながら対物レンズを光ディスクに近づける駆動ステップと、前記駆動ステップ中にフォーカスエラー信号の振幅を測定し、前記フォーカスエラー信号の最大値ＦＥｍａｘと最小値ＦＥｍｉｎを記憶するＦＥ信号測定ステップと、前記ＦＥ信号測定ステップで記憶した最大値ＦＥｍａｘの絶対値と最小値ＦＥｍｉｎの絶対値の差を、あらかじめ記憶している判別値と比較する判別ステップとを有し、前記判別ステップによって前記光ディスクの種類を判別することを特徴とする光ディスク判別方法。
【請求項７】
前記判別ステップでは、（ＦＥｍａｘ＋ＦＥｍｉｎ）／（ＦＥｍａｘ−ＦＥｍｉｎ）を計算し、計算された前記（ＦＥｍａｘ＋ＦＥｍｉｎ）／（ＦＥｍａｘ−ＦＥｍｉｎ）を、あらかじめ記憶している判別値と比較することで前記光ディスクの種類を判別すること特徴とするクレーム６記載の光ディスク判別方法。
【請求項８】
前記判別値として、前記レーザ光の焦点が合う位置でのフォーカスエラー信号を基準とした最大値ＦＥｍａｘと最小値ＦＥｍｉｎから算出した値を用いたことを特徴とするクレーム６又はクレーム７に記載の光ディスク判別方法。
【請求項９】
光ディスクの基材厚の差によって外周部を通過するレーザ光と内周部を通過するレーザ光との焦点ずれが生じるピックアップを用いたことを特徴とするクレーム１からクレーム５のいずれかに記載の光ディスク装置。
【発明の詳細な説明】
技術分野
本発明は、異なった種類の光ディスクを記録又は再生可能な光ディスク装置、及び光ディスクの種類を判別する光ディスクの判別方法に関するものである。
背景技術
従来から、光ディスク基材厚の違いに注目した以下のような光ディスクの種類の判別方法が知られている。
図７に従来の光ディスクの判別方法を示す。
まず、特開平８−２８７５８８号公報に開示されている光ディスクの判別方法について説明する。
この従来技術では、図７の対物レンズ１をＣＤディスク５２またはＤＶＤディスク５３に近づけていくと、まず基材表面５４にレーザ光の焦点が合う位置でディスクからの反射光に基づく振幅の小さい和信号５５が得られる。その後、対物レンズ１を更にＣＤディスク５２またはＤＶＤディスク５３に近づけていくと、信号面５６にレーザ光の焦点が合う位置でディスクからの反射光に基づく振幅の大きい和信号５７が得られる。これら和信号５５、５７とレベル１とを比較し、２値化した和信号を基に、基材表面５４が検出された時点から、信号面５６が検出される時点までの時間差Ｔ１を計測する。そして、計測した時間差Ｔ１の長さによって光ディスクの基材厚を認識し、認識した基材厚から光ディスクの種類を判別している。
次に、特開平１１−１４９６４０号公報に開示されている光ディスクの判別方法について説明する。
この従来技術では、ディスク判別の精度を増す為に以下のような方法を提案している。
すなわち、光ディスクからの反射光に基づいて生成されるフォーカスエラー信号中のＳ字信号部分５８をレベル２及びレベル３と比較することによりＳ字正側検出信号とＳ字負側検出信号を生成し、Ｓ字正側信号とＳ字負側信号の検出時間差Ｔ２を計測する。そして、基材表面５４が検出された時点から信号面５６が検出される時点までの時間差Ｔ１との比Ｔ１／Ｔ２を算出することにより、基材表面５４が検出された時点から、信号面５６が検出される時点までの時間差を正規化する。このように、この従来技術は、正規化したＴ１／Ｔ２の値を用いることで、アクチュエータのフォーカス方向における感度ばらつきの影響を除去するものである。
しかし、光ディスクに面振れがあった場合、基材表面及び信号面が上下に振れる為、図８に示すように基材表面からの反射光に基づく和信号６１と信号面からの反射光に基づく和信号６２が複数箇所発生し、しかも位置が前後に変動してしまう。その為、上記従来の技術では、正確に時間測定ができずディスク判別を間違えるという課題があった。また、基材表面の和信号６１は信号の振幅が小さい為、ノイズを基材表面の和信号６１と誤検出し正確に時間測定ができずディスク判別を間違えるという課題があった。
また、特に特開平１１−１４９６４０号公報に開示されている光ディスクの判別方法では、フォーカスエラー信号と和信号の２つの信号を必要とし、また、Ｔ１の時間測定手段と、フォーカスエラー信号の２値化手段と、前記和信号の２値化手段とを必要とし、構成的にも複雑である。
そこで本発明は、面振れによって焦点位置が変動し、フォーカスエラー信号のＳ字が複数個生じても正確なディスクの種類の判別を行うことを目的とする。
また本発明は、レーザパワーのばらつきや、光ディスクの反射率のばらつきに対する影響を無くし正確にディスク判別を行うことを目的とする。
発明の開示
本発明の第１の実施の形態による光ディスク装置は、異なった種類の光ディスクを記録又は再生可能な光ディスク装置において、光ディスクにレーザ光を照射するピックアップと、前記レーザ光の照射を制御するレーザ制御手段と、前記ピックアップを構成する対物レンズをフォーカス方向に移動するアクチュエータ駆動手段と、前記光ディスクからの反射光によってフォーカス状態を検出するフォーカス検出用受光手段と、前記フォーカス検出用受光手段より生成されるフォーカスエラー信号の振幅を測定するＦＥ信号測定手段と、前記ＦＥ信号測定手段で測定した振幅から前記光ディスクを判別する光ディスク判別手段とを備え、前記アクチュエータ駆動手段により前記対物レンズを前記光ディスクに近づけていき、前記光ディスクの信号面にレーザ光の焦点が合う位置の前後でフォーカスエラー信号を発生させ、前記光ディスク判別手段では、前記対物レンズの外周部を通過するレーザ光と前記対物レンズの内周部を通過するレーザ光との焦点ずれによって生じるフォーカスエラー信号の波形の相違から前記光ディスクの厚みを判別し、前記光ディスクの厚みから前記光ディスクの種類を判別することを特徴とするものである。
本実施の形態によれば、対物レンズの外周部を通過するレーザ光と対物レンズの内周部を通過するレーザ光とによって生じるフォーカスエラー信号の波形の相違から前記光ディスクの厚みを判別することにより、面振れによって焦点位置が変動し、フォーカスエラー信号のＳ字が複数個生じても、光ディスクの厚みが同じであればフォーカスエラー信号の波形に変動がなく、また光ディスクの厚みが異なればフォーカスエラー信号の波形が相違するため、正確なディスクの種類の判別が可能である。また、時間測定の必要がないため計時手段を必要とせず、基材表面の振幅の小さい和信号を検出する必要もないため、ノイズを誤って検出して光ディスク判別を間違えることもなく正確に判別できる光ディスク装置を提供できる。
本発明の第２の実施の形態による光ディスク装置は、フォーカスエラー信号の振幅の最大値をＦＥｍａｘ、最小値をＦＥｍｉｎとした時に、ＦＥｍａｘの絶対値とＦＥｍｉｎの絶対値との値を比較することにより前記光ディスクの厚みの判別を行うことを特徴とするものである。
本実施の形態によれば、面振れによって焦点位置が変動し、フォーカスエラー信号のＳ字が複数個生じても振幅の最大値、最小値の大きさに変動がないため、ＦＥｍａｘの絶対値とＦＥｍｉｎの絶対値との値を比較することで正確なディスクの種類の判別が可能である。
本発明の第３の実施の形態は、第１の実施の形態による光ディスク装置において、フォーカスエラー信号の振幅の最大値をＦＥｍａｘ、最小値をＦＥｍｉｎとした時に、（ＦＥｍａｘ＋ＦＥｍｉｎ）／（ＦＥｍａｘ−ＦＥｍｉｎ）の値によって前記光ディスクの厚みの判別を行うことを特徴とするものである。
本実施の形態によれば、フォーカスエラー信号の最大値ＦＥｍａｘと最小値ＦＥｍｉｎの和と差の比率を求め正規化することによりレーザパワーのばらつき、光ディスクの反射率のばらつきに対する影響を無くし正確にディスク判別を行うことができるディスク判別装置を提供できる。
本発明の第４の実施の形態による光ディスク装置は、フォーカスエラー信号の振幅の最大値をＦＥｍａｘ、最小値をＦＥｍｉｎとした時に、ＦＥｍａｘの絶対値とＦＥｍｉｎの絶対値とのとの差を求め、このＦＥｍａｘの絶対値とＦＥｍｉｎの絶対値との差を、予め定めた判別値と比較することで、前記光ディスクの厚みの判別を行うことを特徴とするものである。
本実施の形態によれば、面振れによって焦点位置が変動し、フォーカスエラー信号のＳ字が複数個生じても振幅の最大値、最小値の大きさに変動がないため、ＦＥｍａｘの絶対値とＦＥｍｉｎの絶対値との差を、予め定めた判別値と比較することで、正確なディスクの種類の判別が可能である。
本発明の第５の実施の形態による光ディスク装置は、異なった種類の光ディスクを記録又は再生可能な光ディスク装置において、光ディスクにレーザ光を照射するピックアップと、前記レーザ光の照射を制御するレーザ制御手段と、前記ピックアップを構成する対物レンズをフォーカス方向に移動するアクチュエータ駆動手段と、前記光ディスクからの反射光によってフォーカス状態を検出するフォーカス検出用受光手段と、前記フォーカス検出用受光手段より生成されるフォーカスエラー信号の振幅を測定するＦＥ信号測定手段と、前記ＦＥ信号測定手段で測定した振幅から前記光ディスクを判別する光ディスク判別手段とを備え、前記アクチュエータ駆動手段により前記対物レンズを前記光ディスクに近づけていき、前記光ディスクの信号面にレーザ光の焦点が合う位置の前後でフォーカスエラー信号を発生させ、前記光ディスク判別手段では、前記対物レンズの外周部を通過するレーザ光と前記対物レンズの内周部を通過するレーザ光との焦点ずれによって生じるフォーカスエラー信号の振幅の正側波形と負側波形との対称性から前記光ディスクの厚みを判別し、前記光ディスクの厚みから前記光ディスクの種類を判別することを特徴とするものである。
本実施の形態によれば、対物レンズの外周部を通過するレーザ光と対物レンズの内周部を通過するレーザ光とによって生じるフォーカスエラー信号の振幅の正側波形と負側波形との対称性から前記光ディスクの厚みを判別することにより、面振れによって焦点位置が変動し、フォーカスエラー信号のＳ字が複数個生じても、光ディスクの厚みが同じであればフォーカスエラー信号の波形に変動がなく、また光ディスクの厚みが異なればフォーカスエラー信号の波形が相違するため、正確なディスクの種類の判別が可能である。また、時間測定の必要がないため計時手段を必要とせず、基材表面の振幅の小さい和信号を検出する必要もないため、ノイズを誤って検出して光ディスク判別を間違えることもなく正確に判別できる光ディスク装置を提供できる。
本発明の第６の実施の形態による光ディスク判別方法は、光ディスクの種類を判別する光ディスク判別方法において、光ディスクにレーザ光を照射しながら対物レンズを光ディスクに近づける駆動ステップと、前記駆動ステップ中にフォーカスエラー信号の振幅を測定し、前記フォーカスエラー信号の最大値ＦＥｍａｘと最小値ＦＥｍｉｎを記憶するＦＥ信号測定ステップと、前記ＦＥ信号測定ステップで記憶した最大値ＦＥｍａｘの絶対値と最小値ＦＥｍｉｎの絶対値の差を、あらかじめ記憶している判別値と比較する判別ステップとを有し、前記判別ステップによって前記光ディスクの種類を判別することを特徴とするものである。
本実施の形態によれば、面振れによって焦点位置が変動し、フォーカスエラー信号のＳ字が複数個生じても振幅の最大値、最小値の大きさに変動がないため、正確にディスクの種類の判別が可能である。また、時間測定の必要がないため計時手段を必要とせず、基材表面の振幅の小さい和信号を検出する必要もないため、ノイズを誤って検出し光ディスク判別を間違えることもなく正確に判別できる光ディスク判別方法を提供できる。
本発明の第７の実施の形態は、第６の実施の形態による光ディスク判別方法において、判別ステップでは、（ＦＥｍａｘ＋ＦＥｍｉｎ）／（ＦＥｍａｘ−ＦＥｍｉｎ）を計算し、計算された前記（ＦＥｍａｘ＋ＦＥｍｉｎ）／（ＦＥｍａｘ−ＦＥｍｉｎ）を、あらかじめ記憶している判別値と比較することで前記光ディスクの種類を判別することを特徴とするものである。
本実施の形態によれば、フォーカスエラー信号の最大値ＦＥｍａｘと最小値ＦＥｍｉｎの和と差の比率を求め正規化することによりレーザパワーのばらつき、光ディスクの反射率のばらつきに対する影響を無くし正確にディスク判別を行うことができるディスク判別方法を提供できる。
本発明の第８の実施の形態は、第６又は第７の実施の形態による光ディスク判別方法において、判別値として、レーザ光の焦点が合う位置でのフォーカスエラー信号を基準とした最大値ＦＥｍａｘと最小値ＦＥｍｉｎから算出した値を用いたことを特徴とするものである。
本実施の形態によれば、レーザ光の焦点が合う位置でのフォーカスエラー信号を基準とすることで、より正確にディスクの種類の判別が可能になる。
本発明の第９の実施の形態は、第１から第５のいずれかの実施の形態による光ディスク装置において、光ディスクの基材厚の差によって外周部を通過するレーザ光と内周部を通過するレーザ光との焦点ずれが生じるピックアップを用いたことを特徴とするものである。
本実施の形態によれば、光ディスクの基材厚の差によって外周部を通過するレーザ光と内周部を通過するレーザ光との焦点ずれが生じるピックアップを用いることで、最大値ＦＥｍａｘと最小値ＦＥｍｉｎの振幅に差を生じることができ、より正確にディスクの種類の判別が可能になる。
発明を実施するための最良の形態
以下に、本発明の一実施例による光ディスク装置について、図１、図２、図３を用いて説明する。
図１は本実施例による光ディスク装置のブロック図である。ピックアップ１０は、例えばＣＤやＤＶＤなどの異なる種類の光ディスクに対して記録や再生信号を得ることができ、半導体レーザ５、集光レンズ２、対物レンズ１、偏光ホログラム３、トラッキング検出用受光手段４、フォーカス検出用受光手段６を有する。半導体レーザ５は、レーザ制御手段７による制御の下で適正なパワーのレーザを発光する。対物レンズ１は、フォーカスエラー及びトラッキングエラーを解消する為にアクチュエータ駆動手段１１からの駆動信号に応答してそれぞれフォーカス方向とディスク径方向に移動させることができる。
集光レンズ２は、半導体レーザ５から照射するレーザ光を平行な光に変換する。なお、ＤＶＤレーザ光を平行な光に変換する場合には、ＣＤレーザ光を若干発散光とする。集光レンズ２を通過した光は、対物レンズ１で光ディスク８に光スポットを形成する。一方、光ディスク８からの反射光は、対物レンズ１、集光レンズ２を通り偏光ホログラム３によりフォーカス検出用の反射光とトラッキング検出用の反射光に回折され、フォーカス検出用の反射光は、フォーカス検出用受光手段６に当る。ＦＥ信号測定手段１２は、フォーカス検出用受光手段６から出力されたフォーカスエラー信号の最大値ＦＥｍａｘ１５と最小値ＦＥｍｉｎ１６を電圧値や電流値などとして測定する。光ディスク判別手段１３では、レーザ光の焦点が合う位置でのフォーカスエラー信号を基準として、Ｓ字信号の波形の相違から光ディスクの種類を判別することができる。ここでは、ＦＥ信号測定手段１２で測定した、フォーカスエラー信号の振幅の最大値ＦＥｍａｘと最小値ＦＥｍｉｎを基に光ディスクの種類を判別する。ここで、レーザ光の焦点が合う位置でのフォーカスエラー信号を０（基準）にして最大値ＦＥｍａｘと最小価ＦＥｍｉｎの値を算出している。制御手段１４は、アクチュエータ駆動手段１１、光ディスク判別手段１３、及びレーザ制御手段７を制御する構成となっている。
次に図２を参照しながら、ＦＥ信号の生成の一方法を説明する。
集光レンズ２によって回折されたフォーカス検出用の反射光は、更に４分割され、フォーカス検出用受光手段６の面を挟んで前側に合焦する光と後側に合焦する光に分割されフォーカス検出用受光手段６に当る。フォーカス検出用受光手段６の面は、分割線にてＡとＢの領域が形成されており、光電効果により領域Ｂに当った光量に対する電圧がＦＥ１として、領域Ａに当った光量に対する電圧がＦＥ２として出力される。そしてフォーカスエラー信号は、２つの電圧差ＦＥ１−ＦＥ２で生成される。
次に図３を参照しながら光ディスク基材厚の差がＦＥ信号に与える影響について説明する。
対物レンズ１で集光されるレーザ光は、光軸から遠い対物レンズ１の外周部を通過して集光される合焦位置と、光軸近辺にある対物レンズ１の内周部を通過して集光される合焦位置にはずれが生じる。これを球面収差という。
基材厚０．６ｍｍのＤＶＤディスク２３を通して球面収差なく光を収束する時の空気中の波面２４に対し、基材厚１．２ｍｍのＣＤディスク２０を通して球面収差なく光を収束する時の空気中の波面２５は、光軸から遠い外周部にいくほど遅れることになる。
本実施例による光ディスク装置のピックアップ１０は、２つ以上の種類の異なった光ディスクの再生及び記録を可能にするために、２種類以上の波長の異なるレーザ光を照射可能な構成である。このようなピックアップ１０は、光学系又は信号出力系の切り替えによって複数種類の光ディスクに対応可能な単一のピックアップによって構成してもよいが、複数のピックアップによって構成してもよい。ここでは、ピックアップ１０から照射される第１のレーザ光をたとえばＤＶＤ再生用レーザ光とし、第２のレーザ光をＣＤ再生用レーザ光として説明する。
ＤＶＤ再生用の第１のレーザ光は、ＤＶＤディスク２３に対して球面収差が最小となるように設計され、ＣＤ再生用の第２のレーザ光は、ＣＤディスク２０に対して球面収差が最小となるように設計されている。
第１のレーザ光がＤＶＤディスク２３の合焦位置において球面収差が最小になるように設計された対物レンズ１を用いる場合には、ＣＤディスク２０を再生する第２のレーザ光に対しては、外周部を通るレーザ光の合焦位置が遅れるように集光レンズ２で若干の発散光にする。ここで、ＤＶＤディスク２３に対して第２のレーザ光を入射すると外周部の波面が遅れる為、外周部を通った光は内周部を通った光の合焦位置よりも手前で合焦することになる。
ここで、第２のレーザ光を照射しながら対物レンズ１をＣＤディスク２０に近づけていった時、内周部を通過したレーザ光と外周部を通過したレーザ光では、遅れを生じない為、対物レンズ１の全面を通った光で作られるＦＥ信号２８のＦＥｍａｘ２９とＦＥｍｉｎ３０はほぼ同じ大きさの振幅信号になる。一方、対物レンズ１をＤＶＤディスク２３に近づけていった時、外周部を通過したレーザ光は内周部を通過したレーザ光よりも遅れる為、対物レンズ１の全面を通った光で作られるＦＥ信号３３はＦＥｍａｘ３４が小さく、ＦＥｍｉｎ３５が大きい信号になる。そのため、絶対値｜ＦＥｍａｘ｜と｜ＦＥｍｉｎ｜の値を比較することによりディスクの厚みを判別することができる。
次に、本発明の一実施例による光ディスクの判別方法における正規化処理について、図４を用いて説明する。
レーザパワーのばらつきや光ディスクの反射率のばらつきによってＦＥｍａｘやＦＥｍｉｎの値は大きく変動する。これらのばらつきの影響をなくすため、光ディスク判別手段１３において、以下のような正規化処理を行う。フォーカスエラー信号の中間レベル（ＦＥｍａｘ＋ＦＥｍｉｎ）／２をフォーカスエラー信号の振幅値（ＦＥｍａｘ−ＦＥｍｉｎ）で割ることによって得られる、フォーカスエラー信号の上下バランス値（ＦＥｍａｘ＋ＦＥｍｉｎ）／（ＦＥｍａｘ−ＦＥｍｉｎ）は、フォーカスエラー信号の振幅レベルを打ち消し合うのでレーザパワーのばらつきや光ディスクの反射率のばらつきによる影響を小さくすることができる。そして、このフォーカスエラー信号の上下バランス値（ＦＥｍａｘ＋ＦＥｍｉｎ）／（ＦＥｍａｘ−ＦＥｍｉｎ）を、あらかじめ設定した判別値と比較することにより光ディスクの判別を行う。
次に、本実施例による光ディスク判別方法について、図５を用いて説明する。なお、本実施例による光ディスク判別方法は、図１に示す光ディスク装置において行うことができる。
図５は本実施例における光ディスク判別方法のフローチャート図である。
光ディスク８にレーザ光を照射しながら（Ｓ１）、ピックアップ１０内にある対物レンズ１をフォーカス方向に駆動する（Ｓ２）。対物レンズ１を駆動している間、ＦＥ信号を測定し（Ｓ３）、ＦＥ信号最大値をＦＥｍａｘに記憶し（Ｓ４）、ＦＥ信号最小値をＦＥｍｉｎに記憶する（Ｓ５）。そしてＦＥｍａｘの絶対値とＦＥｍｉｎの絶対値との差を予め定めた判別値と比較し（Ｓ６）、その差が予め定めた判別値より大きい場合ＣＤと判別し（Ｓ７）、判別値より小さい場合ＤＶＤと判別する（Ｓ８）。
次に、本発明の他の実施例による光ディスク判別方法について、図６を用いて説明する。
図６は本実施例における光ディスク判別方法のフローチャート図である。
光ディスク８にレーザ光を照射しながら（Ｓ１）、ピックアップ１０内にある対物レンズ１をフォーカス方向に駆動する（Ｓ２）。対物レンズ１を駆動している間、ＦＥ信号を測定し（Ｓ３）、ＦＥ信号最大値をＦＥｍａｘに記憶し（Ｓ４）、ＦＥ信号最小値をＦＥｍｉｎに記憶する（Ｓ５）。そして（ＦＥｍａｘ＋ＦＥｍｉｎ）／（ＦＥｍａｘ−ＦＥｍｉｎ）の計算を行い（Ｓ９）、計算結果を予め設定した判別値と比較する（Ｓ１０）。計算値が判別値より大きい場合ＣＤと判別し（Ｓ７）、判別値より小さい場合ＤＶＤと判別する（Ｓ８）。
なお、ピックアップとして、光ディスクの基材厚の差によって外周部を通過するレーザ光と内周部を通過するレーザ光との焦点ずれが生じるピックアップを用いることで、最大値ＦＥｍａｘと最小値ＦＥｍｉｎの振幅に差を生じることができ、より正確にディスクの種類の判別が可能になる。
また、上記実施例の説明においては、基材厚０．６ｍｍと基材厚１．２ｍｍの２種類のディスクの種類を判別することを説明したが、他の基材厚であってもよく、また基材厚が異なる３つ以上のディスクの種類を判別することも可能であり、たとえば基材厚Ａ、基材厚Ｂ、基材厚Ｃ（Ａ＞Ｂ＞Ｃの関係）にも実施可能である。
また、上記実施例では、フォーカスエラー信号の振幅の最大値ＦＥｍａｘと最小値ＦＥｍｉｎを基に光ディスクの種類を判別する場合を説明したが、Ｓ字信号の波形の相違として、フォーカスエラー信号の振幅の正側波形と負側波形との対称性を求め、正側波形と負側波形との対称性がどの程度あるかを、予め設定した基準値と比較してもよい。また、Ｓ字信号の波形の相違を判別する他の手段として、フォーカスエラー信号の振幅比を求め、この振幅比を予め設定した基準値と比較してもよい。また、Ｓ字信号の波形の相違を判別する他の手段として、フォーカスエラー信号の最大と最小の中間値と前記フォーカスエラー信号の振幅との比を求め、この比を予め設定した基準値と比較してもよい。
産業上の利用可能性
以上のように本発明によれば、面振れ、ノイズ、レーザパワー出力のばらつき等に影響されず、また、計時手段を必要とせずに正確なディスクの種類の判別を行うことができる。
【図面の簡単な説明】
図１は、本発明の一実施例による光ディスク装置のブロック図
図２は、本実施例によるＦＥ信号の生成方法を説明するための図
図３は、光ディスク基材厚の差がＦＥ信号に与える影響を説明するための図
図４は、本実施例による光ディスクの判別方法における正規化処理を説明するための図
図５は、本実施例における光ディスク判別方法のフローチャート図
図６は、本発明の他の実施例による光ディスク判別方法のフローチャート図
図７は、従来の光ディスクの判別方法を説明するための図
図８は、光ディスクに面ぶれがあった場合の信号状態を説明するための図
【図１】
2003063149.tif 000003
【図２】
2003063149.tif 000004
【図３】
2003063149.tif 000005
【図４】
2003063149.tif 000006
【図５】
2003063149.tif 000007
【図６】
2003063149.tif 000008
【図７】
2003063149.tif 000009
【図８】
2003063149.tif 000010
【国際調査報告】
2003063149.tif 000011
2003063149.tif 000012